(57)【特許請求の範囲】
【請求項１】
信号ラインとグランドラインの間にダイオードを用いてある電圧を保持するクランプ回路において、前記信号ラインにカソードを接続する第１のダイオードと、前記第１のダイオードのアノードにアノードを接続する第２のダイオードと、前記第２のダイオードのカソードにカソードを接続し前記グランドラインにアノードを接続するツェナーダイオードと、前記第１のダイオードのアノードと電源ラインの間に接続する抵抗とを備えたことを特徴とするクランプ回路。
【請求項２】
信号ラインとグランドラインの間にダイオードを用いてある電圧を保持するクランプ回路において、前記信号ラインにアノードを接続するツェナーダイオードと、前記ツェナーダイオードのカソードにカソードを接続する第１のダイオードと、前記第１のダイオードのアノードにアノードを接続し前記グランドラインにカソードを接続する第２のダイオードと、前記第１のダイオードのアノードと電源ラインの間に接続する抵抗とを備えたことを特徴とするクランプ回路。
【発明の詳細な説明】
【０００１】
【発明の属する技術分野】
本発明は、信号ラインを所定の電圧に固定するクランプ回路に関するものである。
【０００２】
【従来の技術】
従来のクランプ回路は、図9に示すように信号ライン３とグランドライン４の間にダイオードを１個だけ用いて、ダイオードAのカソード側を信号ラインにアノード側をグランドラインに接続して構成されていた。
【０００３】
【発明が解決しようとする課題】
しかしながら、この種のクランプ回路は、ダイオードが１個の為そのダイオードの順方向電圧の分だけ信号ラインは負の電圧になってしまい、その信号ラインに接続された回路に逆耐圧がかかるという問題があった。又、負の電圧の大きさはダイオードの順方向のばらつきのみによって決定される為、自由にクランプ電圧を設定できないという問題があった。
【０００４】
【課題を解決するための手段】
この目的を達成する為に本発明のクランプ回路は、請求項１では、信号ラインとグランドライン間にダイオードを逆方向にそれぞれ１個ずつあるいは複数個で構成したものである。請求項２、３では、請求項1の構成でさらに順方向電圧に差のあるダイオードを逆方向にそれぞれ１個ずつ接続した構成である。請求項４では、請求項1の構成でさらに順方向電圧が同じダイオードを逆方向にそれぞれ１個ずつ接続した構成である。請求項５、６では、請求項1の構成でさらに信号ライン側あるいはグランドライン側にツェナーダイオードを接続した構成のものである。
【０００５】
【発明の実施の形態】
本発明の第１の発明は、信号ラインとグランドライン間に逆方向にそれぞれ１個あるいは複数個のダイオードと、逆方向に接続したダイオードと電源ライン間に抵抗を介して接続した構成のものである。
【０００６】
本発明の第２の発明は、信号ラインとグランドライン間に逆方向にそれぞれ１個ずつのダイオードと、逆方向に接続したダイオードのアノードに抵抗を介して電源ラインに接続したもので、信号ライン側のダイオードの順方向電圧をグランドライン側のダイオードの順方向電圧よりも小さいダイオードを用いた構成である。
【０００７】
本発明の第３の発明は、信号ラインとグランドライン間に逆方向にそれぞれ１個ずつのダイオードと、逆方向に接続したダイオードのアノードに抵抗を介して電源ラインに接続したもので、信号ライン側のダイオードの順方向電圧をグランドライン側のダイオードの順方向電圧よりも大きいダイオードを用いた構成である。
【０００８】
本発明の第４の発明は、信号ラインとグランドライン間に逆方向にそれぞれ１個ずつのダイオードと、逆方向に接続したダイオードのアノードに抵抗を介して電源ラインに接続したもので、信号ライン側のダイオードの順方向電圧とグランドライン側のダイオードの順方向電圧が同じダイオードを用いた構成である。
【０００９】
本発明の第５の発明は、信号ラインとグランドライン間に逆方向にそれぞれ１個あるいは複数個のダイオードと、逆方向に接続したダイオードのアノードに抵抗を介して電源ラインに接続し、さらに信号ラインとグランドライン間の一番グランドライン側にツェナーダイオードを接続した構成である。
【００１０】
本発明の第６の発明は、信号ラインとグランドライン間に逆方向にそれぞれ１個あるいは複数個のダイオードと、逆方向に接続したダイオードのアノードに抵抗を介して電源ラインに接続し、さらに信号ラインとグランドライン間の一番信号ライン側にツェナーダイオードを接続した構成である。
【００１１】
（実施の形態１）
以下、本発明の第１の実施の形態に係るクランプ回路について図１を参照しながら説明する。
【００１２】
図1に示すように、ダイオード1のカソードを信号ライン3に、ダイオード1のアノードをダイオード2のアノードと抵抗５に、ダイオード2のカソードをグランドライン４に、抵抗５のダイオードと反対側に電源ライン6に接続する構成である。ダイオード1とダイオード2のそれぞれのアノード側に抵抗を介して電源ラインに接続することでダイオード1の順方向電圧の電圧降下分をダイオード2の順方向電圧分で吸収させるものである。
【００１３】
以下、図１に示されるクランプ回路の動作について、図２、図３、図４を参照しながら説明する。
【００１４】
図２は、図1に示す回路のうちダイオード1の順方向電圧をダイオード2の順方向電圧よりも小さくした時の、信号ラインの電圧波形である。
【００１５】
図３は、図1に示す回路のうちダイオード1の順方向電圧をダイオード2の順方向電圧よりも大きくした時の、信号ラインの電圧波形である。
【００１６】
図４は、図1に示す回路のうちダイオード1とダイオード2の順方向電圧を同特性にした時の、信号ラインの電圧波形である。Vdeffは、ダイオード1と2の順方向電圧の差である。
【００１７】
順方向電圧に差のあるダイオードの種類が市販されているのは公知の事実である。故にダイオードの組み合わせを変更することで自由にVdeffを設定できる。
【００１８】
（実施の形態２）
以下、本発明の第２の実施の形態に係るクランプ回路について図５、図６を参照しながら説明する。
【００１９】
図５に示すように、ダイオード1のカソードを信号ライン3に、ダイオード1のアノードをダイオード2のアノードと抵抗５に、ダイオード2のカソードをツェナーダイオード7のカソードに、ツェナーダイオード7のアノードをグランドライン4に、抵抗５のダイオードと反対側に電源ライン6に接続する構成である。
【００２０】
ダイオード1とダイオード2のそれぞれのアノード側に抵抗を介して電源ラインに接続することでダイオード1の順方向電圧の電圧降下分をダイオード2の順方向電圧分で吸収させさらに、ツェナーダイオードのツェナー電圧によってクランプする直流電圧成分を正電圧方向に自由に設定できる。図６は、図５に示す回路の信号ラインの電圧波形であり、Vzがツェナー電圧部分である。
【００２１】
（実施の形態３）
以下、本発明の第３の実施の形態に係るクランプ回路について図７、図８を参照しながら説明する。
【００２２】
図７に示すように、ツェナーダイオード7のアノードを信号ライン3に、ツェナーダイオード7のカソードをダイオード1のカソードに、ダイオード1のアノードをダイオード2のアノードと抵抗５に、ダイオード2のカソードをグランドライン4に、抵抗５のダイオードと反対側に電源ライン6に接続する構成である。
【００２３】
ダイオード1とダイオード2のそれぞれのアノード側に抵抗を介して電源ラインに接続することでダイオード1の順方向電圧の電圧降下分をダイオード2の順方向電圧分で吸収させさらに、ツェナーダイオードのツェナー電圧によってクランプする直流電圧成分を負電圧方向に自由に設定できる。
【００２４】
図８は、図７に示す回路の信号ラインの電圧波形であり、Vzがツェナー電圧部分である。
【００２５】
以上、ダイオード1とダイオード2についてはそれぞれ逆方向に1つずつで説明を行ったが、ダイオード1と同じ方向に複数個のダイオードを接続すれば負の方向のVdeffを大きく出き、又ダイオード２と同じ方向に複数個のダイオードを接続すれば正の方向のVdeffを大きく出き、クランプ電圧を自由に設定でき、本発明と同様の効果が得られる。
【００２６】
【発明の効果】
以上のように本発明のクランプ回路は、ダイオードやツェナーダイオードを複数個用いた構成であるので、クランプしたい電圧を自由に設定することが出き、実用上極めて有利なものである。
【図面の簡単な説明】
【図１】本発明の第１の実施の形態に係るクランプ回路の構成図
【図２】本発明の第１の実施の形態に係るクランプ回路の第１の動作波形図
【図３】本発明の第１の実施の形態に係るクランプ回路の第２の動作波形図
【図４】本発明の第１の実施の形態に係るクランプ回路の第３の動作波形図
【図５】本発明の第２の実施の形態に係るクランプ回路の構成図
【図６】本発明の第２の実施の形態に係るクランプ回路の動作波形図
【図７】本発明の第３の実施の形態に係るクランプ回路の構成図
【図８】本発明の第３の実施の形態に係るクランプ回路の動作波形図
【図９】従来のクランプ回路の構成図
【符号の説明】
１  ダイオード
２  ダイオード
３  信号ライン
４  グランドライン
５  抵抗
６  電源ライン
７  ツェナーダイオード
【図１】
0003882332.tif 000002
【図２】
0003882332.tif 000003
【図３】
0003882332.tif 000004
【図４】
0003882332.tif 000005
【図５】
0003882332.tif 000006
【図６】
0003882332.tif 000007
【図７】
0003882332.tif 000008
【図８】
0003882332.tif 000009
【図９】
0003882332.tif 000010